【手続補正書】
【提出日】平成19年3月7日(2007.3.7)
【手続補正１】
【補正対象書類名】明細書
【補正対象項目名】特許請求の範囲
【補正方法】変更
【補正の内容】
【特許請求の範囲】
【請求項１】  周期的に輝度が変化するスクリーン上の光源の座標位置に対応する情報を出力する装置であって、
所定の態様に配列された複数の光電変換素子を含み、前記光源の光を受ける検出手段と、
周期的に輝度が変化する光源の周期における第１の輝度範囲の期間での光電変換素子の出力と、その周期における前記第１の輝度範囲より低い第２の輝度範囲の期間での前記光電変換素子の出力との間の差分信号を光電変換素子ごとに生成する差分信号生成手段と、
前記差分信号に対する閾値を設定する設定手段と、
前記閾値と前記光電変換素子ごとの差分信号に基づいて光電変換素子を選択する選択手段と、
前記選択された光電変換素子からの差分信号を出力するための信号出力手段とを有することを特徴とする座標入力装置。
【請求項２】  前記選択された光電変換素子から出力される差分信号に基づいて座標演算を実行する演算手段と、
前記演算手段により得た座標値を出力する座標出力手段とを更に有することを特徴とする請求項１に記載の座標入力装置。
【請求項３】  前記設定手段は、最大の差分信号を有する光電変換素子を検出し、その最大の差分信号を有する光電変換素子に隣接する所定数の光電変換素子の差分信号に基づいて閾値を設定し、
前記選択手段は、その設定された閾値に基づいて光電変換素子を選択することを特徴とする請求項２に記載の座標入力装置。
【請求項４】  前記検出手段は線上に配列した光電変換素子を含み、
前記設定手段は、最大の差分信号を有する光電変換素子の両側に位置する光電変換素子に対応する差分信号に基づいて閾値を設定することを特徴とする請求項３に記載の座標入力装置。
【請求項５】  前記設定手段は、最大の差分信号を有する光電変換素子から等しく間隔を空けた二つの光電変換素子に対応する差分信号に基づいて閾値を設定することを特徴とする請求項４に記載の座標入力装置。
【請求項６】  前記設定手段は最大の差分信号を有する光電変換素子から等しく間隔を空けた二つの光電変換素子に対応する差分信号のうちの小さい方の差分信号に閾値を設定することを特徴とする請求項５に記載の座標入力装置。
【請求項７】  前記設定手段は最大の差分信号を有する光電変換素子から等しく離れた二つの光電変換素子に対応する差分信号のうちの大きい方の差分信号を閾値として設定することを特徴とする請求項５に記載の座標入力装置。
【請求項８】  前記演算手段は、最大の差分信号を有する光電変換素子の両側に連続して位置するｍ個の光電変換素子を識別し、該２ｍ個の識別された光電変換素子に対応する差分信号と最大差分信号とに基づいて座標演算を実行することを特徴とする請求項２に記載の座標入力装置。
【請求項９】  前記選択手段は、最大の差分信号を有する光電変換素子を含む一連の光電変換素子を選択することを特徴とする請求項３に記載の座標入力装置。
【請求項１０】  前記演算手段は、前記選択手段で選択された光電変換素子の差分信号に基づいて重心位置を演算し、該重心位置に基づいて座標値を演算することを特徴とする請求項２に記載の座標入力装置。
【請求項１１】  前記検出手段は、前記周期の前記第１の輝度範囲の期間における各光電変換素子の各々の出力を積分し、前記周期の前記第２の輝度範囲の期間における各光電変換素子の各々の出力を積分する積分手段を更に有し、
前記設定手段は光電変換素子の積分された出力値から演算される差分信号に基づいて閾値を設定することを特徴とする請求項２に記載の座標入力装置。
【請求項１２】  前記設定手段は、前記積分手段において実行される積分の回数を制御することを特徴とする請求項１１に記載の座標入力装置。
【請求項１３】  前記設定手段は最大の差分信号が所定の値を越えるまで積分を実行するよう前記積分手段を制御することを特徴とする請求項１２に記載の座標入力装置。
【請求項１４】  前記設定手段は所定回数の積分を実行するよう前記積分手段を制御することを特徴とする請求項１２に記載の座標入力装置。
【請求項１５】  前記周期の前記第２の輝度範囲の期間における光電変換素子からの出力が所定値を越える場合に、光電変換素子からの出力値を削減するスキム手段を更に有することを特徴とする請求項１１乃至１４のいずれか１項に記載の座標入力装置。
【請求項１６】  前記各光電変換素子の出力は電荷であり、前記スキム手段は各光電変換素子からの出力から所定量の電荷を除去することを特徴とする請求項１５に記載の座標入力装置。
【請求項１７】  前記光源は発光素子によりスクリーン上に投影された光スポットを含むことを特徴とする請求項１乃至１６のいずれか１項に記載の座標入力装置。
【請求項１８】  前記光源はスクリーンに近接した位置にある発光素子を含むことを特徴とする請求項１乃至１６のいずれか１項に記載の座標入力装置。
【請求項１９】  前記検出手段は、前記光源からスクリーンを介して拡散された光を受けることを特徴とする請求項１乃至１８のいずれか１項に記載の座標入力装置。
【請求項２０】  前記検出手段は、前記スクリーンで反射して拡散した光を受けることを特徴とする請求項１７に記載の座標入力装置。
【請求項２１】  前記光源の輝度の周期的変化は、前記第１の輝度範囲と前記第２の輝度範囲のレベルの間で光源の輝度が交互に変わる場合を含むことを特徴とする請求項１乃至２０のいずれか１項に記載の座標入力装置。
【請求項２２】  前記第２の輝度範囲は前記光源の非点灯時に対応することを特徴とする請求項２１に記載の座標入力装置。
【請求項２３】  前記光源の特性は、前記光源が照射する光が前記検出手段の複数の光電変換素子に入射されるよう設定されることを特徴とする請求項１乃至２２のいずれか１項に記載の座標入力装置。
【請求項２４】  周期的に輝度が変化する光源の、スクリーン上における座標位置に対応する電気信号を提供する為の方法であって、
所定の態様に配置された複数の光電変換素子を使って周期的に輝度が変化する光源から照射された光を受光し、
各光電変換素子について、前記光源の前記周期における第１の輝度範囲の期間での光電変換素子の出力と、前記第１の輝度範囲より低い第２の輝度範囲の期間での前記光電変換素子の出力との間の差分信号を求め、
各光電変換素子からの前記差分信号に対する閾値を設定し、
前記閾値と前記光電変換素子ごとの差分信号に基づいて差分信号を選択し、
前記選択された差分信号を出力することを特徴とする座標入力方法。
【請求項２５】  請求項２４に記載された座標入力方法をコンピュータに実行させるための制御プログラムを格納したコンピュータ読取り可能な記憶媒体。
【手続補正２】
【補正対象書類名】明細書
【補正対象項目名】００１２
【補正方法】変更
【補正の内容】
【００１２】
【課題を解決するための手段】
上記の目的を達成するための本発明の一態様による座標入力装置は例えば以下の構成を備え
る。すなわち、
周期的に輝度が変化するスクリーン上の光源の座標位置に対応する情報を出力する装置であって、
所定の態様に配列された複数の光電変換素子を含み、前記光源の光を受ける検出手段と、
周期的に輝度が変化する光源の周期における第１の輝度範囲の期間での光電変換素子の出力と、その周期における前記第１の輝度範囲より低い第２の輝度範囲の期間での前記光電変換素子の出力との間の差分信号を光電変換素子ごとに生成する差分信号生成手段と、
前記差分信号に対する閾値を設定する設定手段と、
前記閾値と前記光電変換素子ごとの差分信号に基づいて光電変換素子を選択する選択手段と、
前記選択された光電変換素子からの差分信号を出力するための信号出力手段とを有する。
【手続補正３】
【補正対象書類名】明細書
【補正対象項目名】００１３
【補正方法】変更
【補正の内容】
【００１３】
上記の目的を達成するための本発明の他の態様による座標入力方法は、
周期的に輝度が変化する光源の、スクリーン上における座標位置に対応する電気信号を提供する為の方法であって、
所定の態様に配置された複数の光電変換素子を使って周期的に輝度が変化する光源から照射された光を受光し、
各光電変換素子について、前記光源の前記周期における第１の輝度範囲の期間での光電変換素子の出力と、前記第１の輝度範囲より低い第２の輝度範囲の期間での前記光電変換素子の出力との間の差分信号を求め、
各光電変換素子からの前記差分信号に対する閾値を設定し、
前記閾値と前記光電変換素子ごとの差分信号に基づいて差分信号を選択し、
前記選択された差分信号を出力する。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】